(57)【要約】【課題】フッキング率の高い疑似餌２の提供。【解決手段】疑似餌２は、ヘッド４、ラインアイ６、装着具８、フックアッセンブリー１０、スカート１２及びネクタイ１４を備えている。ヘッド４は、本体、絶縁層及び多数の繊維からなる。本体は、鉛、鉛合金、タングステン、タングステン合金等の金属材料からなる。絶縁層は、本体の表面にコーティングされている。絶縁層の材質は、合成樹脂である。繊維は、絶縁層に植設されている。繊維の材質は、ナイロンである。繊維により、ヘッド４の表面粗度が高められている。スカート１２は、多数の糸２４からなる。この糸２４は、ゴム組成物からなる。このゴム組成物は、臭気性集魚剤を含有する。ネクタイ１４は、ゴム組成物からなる。このゴム組成物は、臭気性集魚剤を含有する。【選択図】図１
2009060866.tif 000002
【特許請求の範囲】
【請求項１】
高比重材料からなるヘッドを備えており、このヘッドの表面に粗面加工が施されている疑似餌。
【請求項２】
上記粗面加工が繊維の植設である請求項１に記載の疑似餌。
【請求項３】
上記ヘッドが、金属製の本体と、この本体の表面にコーティングされた絶縁層と、この絶縁層に植設された多数の繊維とを備える請求項２に記載の疑似餌。
【請求項４】
スカートをさらに備えており、このスカートが多数の糸からなり、この糸が臭気性集魚剤を含むポリマー組成物からなる請求項１に記載の疑似餌。
【請求項５】
帯状のネクタイをさらに備えており、このネクタイが臭気性集魚剤を含むポリマー組成物からなる請求項１に記載の疑似餌。
【発明の詳細な説明】
【技術分野】
【０００１】
本発明は、釣りに用いられる疑似餌に関する。
【背景技術】
【０００２】
カブラと称される疑似餌を用いて、鯛釣りが行われている。この疑似餌は、金属製のヘッド並びにゴム製のスカート及びネクタイを備えている。この疑似餌は、ラインが結ばれた状態で、海底に沈められる。ラインが引かれて疑似餌が海水中を上昇すると、水圧を受けてスカート及びネクタイがはためく。このはためきにより、鯛は疑似餌を生きた餌と勘違いし、この疑似餌を追う。鯛はまず、スカート又はネクタイに食いつく。この段階では、フッキングはなされていない。さらに鯛が疑似餌に深く食いつき、疑似餌に装着されたフックが鯛の口に吸い込まれる。このフックが鯛に刺さって、鯛が釣り上げられる。
【発明の開示】
【発明が解決しようとする課題】
【０００３】
鯛が疑似餌に近づいた段階で、疑似餌が生きた餌ではないことを見破ることがある。この場合、鯛は疑似餌に食いつかない。鯛がスカート又はネクタイに食いついた段階で、違和感を覚えてこれを吐き出すこともある。この場合も、フッキングには至らない。この疑似餌による鯛釣りでは、フッキング率は十分ではない。
【０００４】
フッキング率向上の目的で、疑似餌に臭気性集魚剤が塗布されることがある。この集魚剤から発せられる臭気は、鯛の補食欲を高める。しかし、この集魚剤は、使用中に徐々に流失する。集魚剤による集魚効果は、長続きしない。
【０００５】
本発明の目的は、高いフッキング率が長時間維持される疑似餌の提供にある。
【課題を解決するための手段】
【０００６】
本発明に係る疑似餌は、高比重材料からなるヘッドを備える。このヘッドの表面には、粗面加工が施されている。好ましい粗面加工は、繊維の植設である。
【０００７】
好ましくは、ヘッドは、金属製の本体と、この本体の表面にコーティングされた絶縁層と、この絶縁層に植設された多数の繊維とを備える。
【０００８】
好ましくは、疑似餌は、スカートをさらに備える。このスカートは、多数の糸からなる。この糸は、臭気性集魚剤を含むポリマー組成物からなる。
【０００９】
好ましくは、疑似餌は、帯状のネクタイをさらに備える。このネクタイは、臭気性集魚剤を含むポリマー組成物からなる。
【発明の効果】
【００１０】
本発明に係る疑似餌では、ヘッドの表面に施された粗面加工により、集魚剤に対する優れた保持性能が達成される。このヘッドに塗布された集魚剤は、流失しにくい。この疑似餌では、長時間にわたり、集魚効果が維持される。この疑似餌に近づいた魚は、臭気によってこの疑似餌を生きた餌と勘違いし、これに食いつく。食いついた後も、魚は臭気を感じ、疑似餌に違和感を覚えない。従って魚は、この疑似餌を吐き出さない。この疑似餌では、高いフッキング率が達成される。
【発明を実施するための最良の形態】
【００１１】
以下、適宜図面が参照されつつ、好ましい実施形態に基づいて本発明が詳細に説明される。
【００１２】
図１は、本発明の一実施形態に係る疑似餌２が示された側面図である。図２は、図１の疑似餌２の一部が示された拡大平面図である。この疑似餌２は、カブラと称される。この疑似餌２は、ヘッド４、ラインアイ６、装着具８、フックアッセンブリー１０、スカート１２及びネクタイ１４を備えている。図２では、フックアッセンブリー１０及びスカート１２の図示が省略されている。
【００１３】
ヘッド４は、海水よりも高比重な材料からなる。従って、ヘッド４は海水に沈む。ヘッド４の質量は、１０ｇから１５０ｇ、特には２０ｇから１００ｇである。ヘッド４は、流線型である。従って、ヘッド４が単体で水中を落下するとき、腹１６が下方を向く。ヘッド４が球形であってもよい。ヘッド４に、他の形状が採用されてもよい。
【００１４】
ラインアイ６は、ヘッド４の後端に位置している。ラインアイ６は、金属線が曲げられて形成されている。金属線の端は、ヘッド４に埋め込まれており、ヘッド４に堅固に固定されている。ヘッド４から露出したラインアイ６は、リング状を呈している。
【００１５】
装着具８は、ヘッド４の前端に位置している。装着具８は、金属材料からなる。装着具８の後端は、ヘッド４に埋め込まれており、ヘッド４に堅固に固定されている。図２から明らかなように、装着具８は板状である。装着具８は、前端近傍に、フックアイ１８を備えている。このフックアイ１８は、金属板が打ち抜かれることで形成されている。
【００１６】
フックアッセンブリー１０は、フック２０及び鉤素２２からなる。フック２０は、金属材料からなる。鉤素２２は、柔軟な材料からなる。鉤素２２の典型的な材質は、アラミド繊維（登録商標「ケブラー」）である。鉤素２２は、フックアイ１８に結ばれている。鉤素２２の一端は、フック２０に固定されている。
【００１７】
スカート１２は、多数の糸２４からなる。この糸２４のセンター近傍は、ゴムバンド２６によって装着具８に固定されている。糸２４は、柔軟である。水圧を受けたとき、糸２４は揺らめいて、鯛にアピールする。このスカート１２は、ブラックバスフィッシングに用いられるラバージグに類似の構造を有している。スカート１２が設けられなくてもよい。
【００１８】
ネクタイ１４は、帯状である。このネクタイ１４の中央近傍は、ゴムバンド２６によって装着具８に固定されている。この装着具８から下方に向かって、ネクタイ１４が延びている。水圧を受けたとき、ネクタイ１４ははためいて、鯛にアピールする。ネクタイ１４が設けられなくてもよい。
【００１９】
図３は、図１の疑似餌２のヘッド４の一部が示された拡大断面図である。このヘッド４は、本体２８、絶縁層３０及び多数の繊維３２からなる。このヘッド４には、後述されるように、臭気性集魚剤が塗布される。
【００２０】
本体２８は、金属材料からなる。好ましくは、本体２８に高比重金属が用いられる。高比重金属の具体例としては、鉛、鉛合金、タングステン及びタングステン合金が例示される。本体２８に高比重金属が用いられることにより、小さなサイズと大きな質量とを兼ね備えたヘッド４が得られる。サイズの小さなヘッド４により、鯛は疑似餌２を生きた餌と勘違いしやすい。小さなサイズにより、高いヒット率が達成されうる。大きな質量により、速い沈降速度が達成される。速い速度で沈降することにより、ヘッド４が潮に流されることなく目的のポイントに着底しうる。
【００２１】
絶縁層３０は、本体２８の表面にコーティングされている。絶縁層３０の材質は、合成樹脂である。アクリル系塗料、塩化ビニル系塗料、ウレタン系塗料等が本体に塗布されて、絶縁層３０が形成されうる。絶縁層３０の厚みは、３０μｍ以上３ｍｍ以下が好ましい。厚みが３０μｍ以上である絶縁層３０により、後述される繊維３２の植設が容易になされる。この観点から、厚みは５０μｍ以上がより好ましい。厚みが３ｍｍ以下である絶縁層３０は、ヘッド４の高比重を阻害しない。この観点から、厚みは２ｍｍ以下がより好ましい。
【００２２】
繊維３２は、絶縁層３０に植設されている。繊維３２の一端は、絶縁層３０に埋設されている。繊維３２は、絶縁層３０から起立している。絶縁層３０は電荷を留めることができるので、静電処理によって繊維３２の植設がなされうる。繊維３２が植設されているので、ヘッド４の表面粗度は高い。この繊維３２により、集魚剤の物理的付着力が高められる。繊維３２は、集魚剤の保持に寄与する。
【００２３】
ヘッド４には、天然繊維、合成繊維及び金属繊維が用いられうる。集魚剤保持性の観点からは、天然繊維及び合成繊維が好ましい。耐食性の観点からは、合成繊維が好ましい。合成繊維の具体例としては、ナイロン繊維、レーヨン繊維及びポリエステル繊維が例示される。耐摩耗性の観点から、ナイロン繊維が特に好ましい。
【００２４】
繊維３２の長さは、０．５ｍｍ以上２０ｍｍ以下が好ましく、１ｍｍ以上５ｍｍ以下がより好ましい。繊維３２のアスペクト比（太さに対する長さの比）は２以上１００以下が好ましく、５以上５０以下がより好ましい。繊維３２の密度は、１００本／ｃｍ２以上５０００本／ｃｍ２以下が好ましく、１０００本／ｃｍ２以上がより好ましい。
【００２５】
糸２４は、ゴム組成物からなる。好ましくは、このゴム組成物は、臭気性集魚剤を含有する。糸２４に臭気性集魚剤が用いられることにより、高いフッキング率が達成される。臭気性集魚剤としては、天然由来のもの及び石油由来のものが用いられうる。天然由来の集魚剤には、動物由来のもの及び植物由来のものが含まれる。動物由来の集魚剤としては、オキアミエキス、エビエキス及び魚粉エキスが例示される。植物由来の集魚剤としては、海藻エキス、ニンニクエキス、米ぬかエキス及び糖類が例示される。糸２４が、樹脂組成物からなってもよい。この樹脂組成物も、臭気性集魚剤を含有しうる。
【００２６】
典型的には、糸２４は、ラテックス製法により得られる。この製法では、天然ゴムラテックス又は合成ゴムラテックスに、架橋剤、着色剤、臭気性集魚剤及び他の添加剤が添加され、ラテックス組成物が得られる。このラテックス組成物から、シートが成形される。このシートが加熱されることで、ゴムの架橋反応が起こる。このシートが裁断されて、糸２４が得られる。成形後のシート又は糸２４に集魚剤が含浸されてもよい。
【００２７】
ネクタイ１４は、ゴム組成物からなる。好ましくは、このゴム組成物は、臭気性集魚剤を含有する。ネクタイ１４に臭気性集魚剤が用いられることにより、高いフッキング率が達成される。糸２４に用いられる臭気性集魚剤が、ネクタイ１４にも用いられうる。ネクタイ１４が、樹脂組成物からなってもよい。この樹脂組成物も、臭気性集魚剤を含有しうる。
【００２８】
典型的には、ネクタイ１４は、ラテックス製法により得られる。この製法では、天然ゴムラテックス又は合成ゴムラテックスに、架橋剤、着色剤、臭気性集魚剤及び他の添加剤が添加され、ラテックス組成物が得られる。このラテックス組成物から、シートが成形される。このシートが加熱されることで、ゴムの架橋反応が起こる。このシートが帯状に裁断されて、ネクタイ１４が得られる。成形後のシート又はネクタイ１４に集魚剤が含浸されてもよい。
【００２９】
釣り人は、ヘッド４に臭気性集魚剤を塗布する。一般的には、スプレータイプの集魚剤が用いられる。軟膏タイプの集魚剤が用いられてもよい。釣り人は、疑似餌２を海水に投入する。疑似餌２は高比重なヘッド４を備えているので、海水中を沈降して着底する。釣り人がラインを引くことで、疑似餌２は海水中を上昇する。図４には、上昇中の疑似餌２が示されている。ライン３４が引かれることで、スカート１２及びネクタイ１４が水圧を受ける。スカート１２及びネクタイ１４は、はためく。このはためきは、鯛にアピールする。鯛は、疑似餌２をゴカイ、イソメ等の多毛類と勘違いし、疑似餌２を追う。鯛は、嗅覚に優れる魚である。疑似餌２に近づいた鯛は、ヘッド４に塗布された集魚剤から発せられる臭気を嗅ぎ取る。鯛はさらに、スカート１２及びネクタイ１４に配合された集魚剤から発せられる臭気を嗅ぎ取る。これら臭気は、鯛の補食欲を高める。鯛は、疑似餌２に食いつく。鯛はまず、スカート１２又はネクタイ１４に食いつく。この段階では、鯛はフック２０をくわえていない。この段階で鯛は、さらに強い臭気を嗅ぎ取る。鯛は疑似餌２を飲み込もうとして、フック２０を吸い込む。このフック２０が鯛に突き刺さり、鯛が釣り上げられる。
【００３０】
ヘッド４が海水中を移動するとき、繊維３２により、ヘッド４の周辺に乱流が生じる。この乱流も、鯛に対する集魚効果を高める。
【００３１】
この疑似餌２を用いた鯛釣りは、水深が例えば数十メートルの海域で行われる。疑似餌２が海水中を沈降して着底した後、釣り人はゆっくりとライン３４を巻き、疑似餌２を上昇させる。疑似餌２が例えば１０メートル上昇するまで鯛がヒットしなければ、釣り人はライン３４をゆるめて疑似餌２を降及び着底させる。釣り人は、さらに１０メートル程度、疑似餌２を上昇させる。この動作が、繰り返される。沈降と上昇とを繰り返すうちに、ヘッド４に塗布された臭気性集魚剤が徐々に流失し、集魚効果が薄れていく。釣り人は、適当な頻度でライン３４を巻き取って疑似餌２をピックアップし、ヘッド４に集魚剤を再度塗布する。
【００３２】
この疑似餌２では、ヘッド４に粗面加工が施されているので、集魚剤の流失が抑制される。この疑似餌２では、集魚効果が長時間にわたって維持される。釣り人は、疑似餌２をピックアップすることなく、長時間にわたって疑似餌２の沈降と上昇とを繰り返すことができる。釣り人は、潮時を逃すことがない。この疑似餌２を用いた釣り人は、優れた釣果を得ることができる。この疑似餌２は、沈降と上昇とが繰り返される釣りに特に適している。この疑似餌２が用いられることで、集魚剤塗布の頻度が低減される。さらに、この疑似餌２が用いられることで、集魚剤塗布の使用量が低減される。
【００３３】
ヘッドの表面にショットブラスト処理等の粗面加工が施され、その表面粗度が高められてもよい。このヘッドでも、臭気性集魚剤の物理的付着力が高められうる。このヘッドでも、集魚効果が長続きする。
【００３４】
ヘッドの表面粗度を高めることによる集魚効果は、カブラに限らず、インチク等の他の疑似餌でも得られる。
【産業上の利用可能性】
【００３５】
本発明に係る疑似餌は、鯛のみならず、太刀魚、ヒラメ等の種々の魚をターゲットにした釣りに適している。
【図面の簡単な説明】
【００３６】
【図１】図１は、本発明の一実施形態に係る疑似餌が示された側面図である。
【図２】図２は、図１の疑似餌の一部が示された拡大平面図である。
【図３】図３は、図１の疑似餌のヘッドの一部が示された拡大断面図である。
【図４】図４は、図１の疑似餌の使用状態が示された説明図である。
【符号の説明】
【００３７】
２・・・疑似餌
４・・・ヘッド
６・・・ラインアイ
８・・・装着具
１０・・・フックアッセンブリー
１２・・・スカート
１４・・・ネクタイ
１６・・・
１８・・・フックアイ
２０・・・フック
２２・・・鉤素
２４・・・糸
２６・・・ゴムバンド
２８・・・本体
３０・・・絶縁層
３２・・・繊維
３４・・・ライン
【図１】
2009060866.tif 000003
【図２】
2009060866.tif 000004
【図３】
2009060866.tif 000005
【図４】
2009060866.tif 000006